(57)【要約】【課題】配布物を取り出しやすくすること。【解決手段】配布物収容箱１は、開口部２１ａを有する外箱２と、外箱２内に配置され、配布物５を支持する内箱３と、開口部２１ａを覆い、持ち上げられることにより内箱３の底部を外箱２の底部から離間させる開閉部２２２と、開閉部２２２を開閉自在に支持する蓋留め２２１と、開閉部２２２を開いたときに、配布物５の蓋留め２２１および開閉部２２２へのひっかかりを抑制し、配布物５を取り出しやすくするガイド２４と、を有する。【選択図】図１
2019084698.tif 000002
【特許請求の範囲】
【請求項１】
開口部を有する筐体と、
前記筐体内に配置され、収容物を支持する収容物支持部と、
前記開口部を覆い、持ち上げられることにより前記支持部の底部を前記筐体の底部から離間させる開閉部と、
前記開閉部を開閉自在に支持する開閉部支持部と、
前記開閉部を開いたときに前記収容物と、前記開閉部支持部および前記開閉部とのひっかかりを抑制するガイドと、
を有することを特徴とする配布物収容箱。
【請求項２】
前記ガイドは、前記筐体と前記開閉部の双方に亘って設けられている請求項１に記載の配布物収容箱。
【発明の詳細な説明】
【技術分野】
【０００１】
本発明は配布物収容箱に関する。
【背景技術】
【０００２】
販促用のチラシ入れが知られている。例えば、建物や塀の壁面に着脱自在に取付けることができ、内部に広告用のチラシを取り出し自在に挿入することのできる広告装置であり、装置本体と固着部材とで構成されたものが知られている。
【０００３】
装置本体は、少なくともチラシを前後から挟持する前壁と後壁とを備えた正面矩形状とし、上下両端を封止すると共に、少なくとも左右のいずれか一端側にチラシを挿入および取り出すための開口部を設け、少なくとも前壁が透明となっている。
固着部材は、装置本体の背面の少なくとも周縁部に設けられ、建物や塀の壁面に離脱自在に固着される。
【先行技術文献】
【特許文献】
【０００４】
【特許文献１】実願２０１２−２５２１号公報
【発明の概要】
【発明が解決しようとする課題】
【０００５】
販促用のチラシ入れは道路に面した所に設置する場合、道路側にはみ出さないように、チラシ入れの形状をなるべく薄くするのが好ましい。
しかしながら、チラシ入れの幅を薄くすればするほど中のチラシを取り出しにくくなってしまう。
１つの側面では、本発明は、配布物を取り出しやすくすることを目的とする。
【課題を解決するための手段】
【０００６】
上記目的を達成するために、開示の配布物収容箱が提供される。この配布物収容箱は、開口部を有する筐体と、筐体内に配置され、収容物を支持する収容物支持部と、開口部を覆い、持ち上げられることにより支持部の底部を筐体の底部から離間させる開閉部と、開閉部を開閉自在に支持する開閉部支持部と、開閉部を開いたときに収容物と、開閉部支持部および開閉部とのひっかかりを抑制するガイドと、を有している。
【発明の効果】
【０００７】
１態様では、配布物を取り出しやすくすることができる。
【図面の簡単な説明】
【０００８】
【図１】実施の形態の配布物収容箱を示す図である。
【図２】蓋部の構造を説明する図である。
【図３】内箱を説明する図である。
【図４】配布物収容箱の側面図である。
【図５】蓋部を開いたときの配布物収容箱を説明する図である。
【図６】蓋部を開いたときの配布物収容箱を説明する図である。
【図７】配布物収容箱の変形例を示す図である。
【発明を実施するための形態】
【０００９】
以下、実施の形態の配布物収容箱を、図面を参照して詳細に説明する。
＜実施の形態＞
図１は、実施の形態の配布物収容箱を示す図である。
【００１０】
第１の実施の形態の配布物収容箱１は、例えば、バス停の近くや、ショッピングセンター内等、屋外の人通りが比較的多い場所に設置され、チラシや広告等、主に紙の配布物を配布する際に用いられる。
配布物収容箱１の材質としては、例えばアクリル樹脂、ポリ塩化ビニル、ポリエステル等の樹脂が挙げられる。
配布物収容箱１は、外箱（筐体）２と内箱（収容物支持部）３とを有している。
外箱２は、収容部２１と、蓋部２２と、取付部（背面板）２３とを有している。外箱２の形状は図示ものに限定されない。
収容部２１と蓋部２２は、取付部２３に取り付けられている。収容部２１と蓋部２２の頂点は、角が丸められている。
【００１１】
収容部２１は、取付部２３とともに内箱３を収容する空間を形成する部分である。なお、図１には図示していないが、収容部２１や蓋部２２等任意の位置に「ご自由にお取り下さい」等の文字や図形を表示するようにしてもよい。
収容部２１の底部には、収容部２１に入り込んだ水やごみ等を収容部２１の外部に排出する排出口２１１が設けられている。
内箱３は、前述した空間内に配置されている。内箱３は、配布物５を収容する部分である。
図２は、蓋部の構造を説明する図である。図２（ａ）は、蓋部２２の正面図であり、図２（ｂ）は、蓋部２２の側面図である。
蓋部２２は、取付部２３に取り付けられる蓋留め２２１と開閉部２２２とを有している。
蓋留め２２１と開閉部２２２とは、開閉部２２２の一部である厚さが１ｍｍ程度のシート２２２ａを介して接続されている。
【００１２】
このシート２２２ａの表面には、蓋留め２２１と、開閉部２２２の一部である表蓋２２２ｂとが張りつけられている。表蓋２２２ｂの厚さは、例えば２ｍｍ程度である。シート２２２ａの裏面には、開閉部２２２の一部である裏蓋２２２ｃが張りつけられている。裏蓋２２２ｃの厚さは、一番分厚い箇所が例えば１ｍｍ程度であり、蓋留め２２１に向かうにつれて、その厚さが漸減している。
【００１３】
蓋留め２２１と表蓋２２２ｂとの間には、開閉部２２２を持ち上げたときに表蓋２２２ｂが蓋留め２２１に当接しないように所定の間隙が設けられている。開閉部２２２が蓋留め２２１を介して取付部２３に取り付けられることで、表蓋２２２ｂおよび裏蓋２２２ｃが蓋留め２２１により開閉自在に支持される。開閉部２２２は、取付部２３とほぼ並行になるまで開く。
【００１４】
シート２２２ａの構成材料としては、例えば柔軟性があり防水性を備える軟質塩化ビニルシート等が挙げられる。蓋留め２２１、表蓋２２２ｂおよび裏蓋２２２ｃの構成材料としては、例えば塩化ビニル等が挙げられる。
【００１５】
図１に示すように、開閉部２２２は、自重により収容部２１の開口部２１ａを覆う。開閉部２２２は、収容部２１に収容された配布物５が風雨にさらされないように、配布物５を保護する。
【００１６】
この開閉部２２２には、ワイヤ（取付器具）４ａ、４ｂを通す開口部２２ａ、２２ｂが設けられている。開口部２２ａ、２２ｂは、裏蓋２２２ｃ、シート２２２ａおよび表蓋２２２ｂを貫通している。開口部２２ａ、２２ｂには防水加工を施し、ワイヤ４ａ、４ｂを伝って収容部２１内部に水が入らないようにしてもよい。
【００１７】
ワイヤ４ａ、４ｂは、開閉部２２２と内箱３とを連結するものである。ワイヤ４ａ、４ｂの材料としては特に限定されないが、例えば紐や、ロープや針金や鎖（玉鎖）等が挙げられる。
【００１８】
ワイヤ４ａ、４ｂの各端部は、開口部２２ａ、２２ｂにねじ込まれており、開閉部２２２を持ち上げてもワイヤ４ａ、４ｂが開閉部２２２から離脱しないようになっている。
【００１９】
配布物収容箱１を取り付ける際には、取付部２３に紐等を通してつり下げたり、取付部２３の背面に接着部材などを塗り、壁などに直接取り付けたりすることもできる。
図３は、内箱を説明する図である。
【００２０】
内箱３の形状は、外箱２の形状や、配布物の大きさに対応して設けられている。図３では、開口部３１を有する矩形をなしている。内箱３の構成材料としては、薄くて軽く透明度の高いものが好ましい。例えば厚さ０．２ｍｍ程度のポリプロピレンが挙げられる。内箱３の側面にはワイヤ４ａ、４ｂそれぞれを通す開口部３ａ、３ｂが設けられている。なお、開口部３ａ、３ｂの配置位置は、図示の位置に限定されない。
【００２１】
ワイヤ４ａ、４ｂの内箱３の内部に位置する各端部には結び目が形成されており、ワイヤ４ａ、４ｂを引っ張ってもワイヤ４ａ、４ｂが内箱３から離脱しないようになっている。
再び図１に戻って説明する。
【００２２】
内箱３は、ワイヤ４ａ、４ｂを介して開閉部２２２に取り付けられている。開閉部２２２が閉じているとき、内箱３の底部が収容部２１の底部に接触しないようにワイヤ４ａ、４ｂの長さを調整するのが好ましい。
【００２３】
取付部２３の収容部２１側には、ガイド（そり板）２４が設けられている。このガイド２４は、配布物５を取り出し易くする機能を有している。詳細については以下に述べる。
図４は、配布物収容箱の側面図である。
【００２４】
開閉部２２２を開いたときも閉じたときも内箱３の面の一部がガイド２４に接するようガイド２４の長さおよびワイヤ４ａ、４ｂの長さが調整されている。ガイド２４は、その上部が湾曲し、蓋部２２にギリギリ接触しない位置に配置されている。
図５および図６は、蓋部を開いたときの配布物収容箱を説明する図である。
図５では配布物収容箱１は、壁部６に取り付けられている。
【００２５】
配布物を取ろうとする者（利用者）が開閉部２２２を把持して開くと、開閉部２２２に取り付けられたワイヤ４ａ、４ｂが開閉部２２２とともに上昇する。ワイヤ４ａ、４ｂの端部に形成された結び目が開口部３ａ、３ｂに当接すると、ワイヤ４ａ、４ｂにより内箱３が引っ張られる。これにより内箱３が持ち上がり（内箱３の底部が収容部２１の底部から離間し）、内箱３の開口部３１が、外箱２の開口部２１ａ付近まで上昇する。また、内箱３が持ち上がるにつれて配布物５も上昇する。開閉部２２２をさらに開くと、図６に示すように、奥側（取付部２３側）に位置する配布物５は、ガイド２４に摺動することにより開口部２１ａ側に移動する。従って、配布物５が蓋留め２２１や、開閉部２２２や、蓋留め２２１と取付部２３とにより形成される窪み７に引っかかったり、織り曲がったりすることを抑制することができる。
【００２６】
また、図６では、ワイヤ４ａ、４ｂの長さが調整され、開閉部２２２を開いたときに内箱３の上部が開口部２１ａ付近まで持ち上がり、配布物５の上部が開口部２１ａより上部に位置している。これにより、利用者は配布物５を取り出しやすくなる。
【００２７】
なお、開閉部２２２が最大まで開いているとき（図６に示す位置）、内箱３の開口部３１の位置が収容部２１の開口部２１ａ手前側の位置にほぼ重なるのが好ましい。
利用者が開閉部２２２を閉じると、内箱３も収容部２１内に位置する。
【００２８】
以上説明したように、配布物収容箱１は、開口部２１ａを有する外箱２と、外箱２内に配置され、配布物５を支持する内箱３と、開口部２１ａを覆い、持ち上げられることにより内箱３の底部を外箱２の底部から離間させる開閉部２２２と、開閉部２２２を開閉自在に支持する蓋留め２２１と、開閉部２２２を開いたときに、配布物５の蓋留め２２１および開閉部２２２へのひっかかりを抑制し、配布物５を取り出しやすくするガイド２４と、を有する。
＜変形例＞
次に、配布物収容箱の変形例について説明する。
以下、配布物収容箱の変形例について、前述した配布物収容箱１との相違点を中心に説明し、同様の事項については、その説明を省略する。
図７は、配布物収容箱の変形例を示す図である。図７では開口部３ａ、３ｂ、ワイヤ４ａ、４ｂ、配布物５等、一部の図示を省略している。
【００２９】
配布物収容箱１ａは、ガイド２４ａが取付部２３と開閉部２２２の双方に亘って取り付けられている。ガイド２４ａはフィルム状をなしており、取付部２３と開閉部２２２の双方に接着されている。開閉部２２２を開いたときも閉じたときも内箱３の面の一部がガイド２４ａに接するようガイド２４ａの長さおよびワイヤ４ａ、４ｂの長さが調整されている。この第１の変形例の配布物収容箱１ａによっても配布物収容箱１と同様の効果が得られる。
【００３０】
以上、本発明の配布物収容箱を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【符号の説明】
【００３１】
１、１ａ  配布物収容箱
２  外箱
２１  収容部
２１ａ  開口部
２１１  排出口
２２  蓋部
２２ａ、２２ｂ  開口部
２２１  蓋留め
２２２  開閉部
２２２ａ  シート
２２２ｂ  表蓋
２２２ｃ  裏蓋
２３  取付部
２４、２４ａ  ガイド（そり板）
３  内箱（収容物支持部）
３ａ、３ｂ  開口部
３１  開口部
４ａ、４ｂ  ワイヤ
５  配布物
６  壁部
【図１】
2019084698.tif 000003
【図２】
2019084698.tif 000004
【図３】
2019084698.tif 000005
【図４】
2019084698.tif 000006
【図５】
2019084698.tif 000007
【図６】
2019084698.tif 000008
【図７】
2019084698.tif 000009
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
開口部を有する筐体と、
前記筐体内に配置され、収容物を支持する収容物支持部と、
前記開口部を覆い、持ち上げられることにより前記支持部の底部を前記筐体の底部から離間させる開閉部と、
前記開閉部を開閉自在に支持する開閉部支持部と、
前記開閉部を開いたときに前記収容物と、前記開閉部支持部および前記開閉部とのひっかかりを抑制するガイドと、
を有し、前記ガイドは、前記筐体と前記開閉部の双方に亘って設けられていることを特徴とする配布物収容箱。